(57)【要約】      （修正有）【課題】簡易な構成で安価に制作することができ、しかも、老人や子供であっても粉薬を容易に服用することができる薬剤服用具を提供する。【解決手段】薬剤服用具１は、略スコップに形成された薬剤貯留部２は、屈曲可能な弾性を有する肉薄の紙又はプラスチックからなる板材を屈曲することにより形成され、薬剤貯留部２は前端側が略円弧状に形成されるとともに断面形状が略円弧状に形成され、後端側に薬剤貯留部２から起立させた壁部３が形成され、壁部３は、板材の後端側に形成された切り込み部により３分割された舌片４ａ、４ｂ、４ｃの中央の舌片４ｂに左右の舌片４ａ、４ｃを重合させることにより薬剤貯留部２から起立させる。【選択図】図１
0003196321.tif 000002
【実用新案登録請求の範囲】
【請求項１】
略スコップに形成された薬剤貯留部は、屈曲可能な弾性を有する肉薄の紙又はプラスチックからなる板材を屈曲することにより形成され、
前記薬剤貯留部は前端側が略円弧状に形成されるとともに断面形状が略円弧状に形成され、後端側に前記薬剤貯留部から起立させた壁部が形成され、
前記壁部は、前記板材の後端側に形成された切り込み部により３分割された舌片の中央の舌片に左右の舌片を重合させることにより前記薬剤貯留部から起立させた薬剤服用具。
【請求項２】
３分割された舌片の中央の舌片に左右の舌片を重合させ、各舌片を互いに接着固定した請求項１に記載の薬剤服用具。
【請求項３】
３分割された舌片のうち、中央の舌片が前記壁部の高さのほぼ２倍に形成され、左右の舌片を中央の舌片に重合させるとともに、中央の舌片を折り曲げることにより左右の舌片を包持し、この中央の舌片の先端を前記壁部の下端に押し込めて当接させて固定した請求項１に記載の薬剤服用具。
【考案の詳細な説明】
【技術分野】
【０００１】  本考案は、容易に薬剤を服用することを可能にするために用いられる薬剤服用補助容器に関する。
【背景技術】
【０００２】  一般に、散剤はビニールパックに分包されている。服用者が散剤を服用するとき、予め分包を切り開き、散剤を口に含み、水などと一緒に飲み込んでいる。しかし、重症患者や小児、寝たきりの老人など自力で散剤を服用できない場合、介護者の手を煩わさなければならない。特に、ビニールパックが折れ曲がるなど変形した場合には、内部の散剤が出なことがあり、決められた量の散剤を服用できないことがあった。【０００３】  この問題を解消することを目的に、特開２００９−１４６号公報（特許文献１）、特開２００１−４６４７５号公報（特許文献２）、或いは、特開２０００−２４０８９号公報（特許文献３）に示すような種々の薬剤服用補助容器が提案されている。【０００４】
【特許文献１】特開２００９−１４６号公報
【特許文献２】特開２００１−４６４７５号公報
【特許文献３】特開２０００−２４０８９号公報
【考案の開示】
【考案が解決しようとする課題】  特許文献１に示された薬剤服用補助容器は、コップ状の容器の開口部に薬剤を収容する凹部を形成した中皿と飲み口を形成した蓋を設け、予め中皿に収容した薬剤を、容器内に収容された水により流して容器の飲み口から服用者に流し込むようにしている。しかし、容器の構成が大型のため持ち運ぶことが困難であり、しかも構成が複雑のため、高価になる問題がある。また、特許文献２に示された服用容器は、詳細な記載がなく不明瞭であるが、紙又はポリエチレンによって四角形の筒状に形成した容器の左右を指で軽く押し、この容器の開口部をひろげて薬をいれて使用するようにしている。しかし、筒状のため一方の開口から薬を入れたときに他方の開口から漏れる問題がある。さらに、特許文献３に示された散剤投与具は、略円筒状の投与具本体の先端に散剤放出口を設け、後端にスプーン状の散剤貯留部を設け、散剤貯留部に貯留した散剤を筒状の投与具を介して散剤放出口から放出するように構成している。しかし、このような複雑な構造の投与具は実質的に製造することが困難であり、実用に適さない問題がある。【０００５】  そこで、本考案の目的は、簡易な構成で安価に制作することができ、しかも、老人や子供であっても粉薬を容易に服用することができる薬剤服用具を提供することにある。
【課題を解決するための手段】
【０００６】  上記課題を解決するため、本考案による薬剤服用具は、略スコップに形成された薬剤貯留部は、屈曲可能な弾性を有する肉薄の紙又はプラスチックからなる板材を屈曲することにより形成され、前記薬剤貯留部は前端側が略円弧状に形成されるとともに断面形状が略円弧状に形成され、後端側に前記薬剤貯留部から起立させた壁部が形成され、前記壁部は、前記板材の後端側に形成された切り込み部により３分割された舌片の中央の舌片に左右の舌片を重合させることにより前記薬剤貯留部から起立させることを要旨としている。【０００７】  また、薬剤貯留部の後端側に起立させた壁部は、３分割された舌片の中央の舌片に左右の舌片を重合させ、各舌片を互いに接着固定することにより形成することが可能である。【０００８】  さらに、薬剤貯留部の後端側に起立させた壁部は、３分割された舌片のうち、中央の舌片が前記壁部の高さのほぼ２倍に形成され、左右の舌片を中央の舌片に重合させるとともに、中央の舌片を折り曲げることにより左右の舌片を包持し、この中央の舌片の先端を前記壁部の下端に押し込めて当接させて固定することにより形成することが可能である。
【考案の効果】
【０００９】  本考案の薬剤服用具によれば、屈曲可能な弾性を有する肉薄の板材の後端側に形成された切り込み部により３分割された舌片の中央の舌片に左右の舌片を重合させるだけで、断面形状が略円弧状に形成された略スコップ状の薬剤貯留部と、この薬剤貯留部の後端側に起立させた壁部を形成することができるので、薬剤服用具を安価でしかも容易に制作することが可能となる。また、薬剤貯留部が略スコップ状に湾曲した略円弧状に形成され、しかも後端側に壁部が形成されているので、粉薬等の薬剤が薬剤貯留部の上の所定位置に貯留させることができ、服用者に薬剤を容易に服用することが可能となる。【００１０】  また、３分割された舌片の中央の舌片に左右の舌片を重合させ、各舌片を互いに接着固定する簡便な作業によって、薬剤貯留部の後端側に容易に壁部を起立形成することができる。【００１１】  さらに、薬剤貯留部の後端側に壁部を起立形成するとき、中央の舌片の高さを壁部の高さのほぼ２倍に形成し、重合させた左右の舌片を中央の舌片により包持して中央の舌片を壁部の下端に押し込めて当接する簡便な作業によって、薬剤貯留部の後端側に容易に壁部を起立形成することができる。このように、中央の舌片の包持によって固定することが可能になるので、接着材等の固定手段を省略することもできることから、薬剤服用具用に形成された板材を服用者または介護者が折り紙を折る感覚で薬剤服用具を形成することが可能となる。このように、使用時に薬剤服用具を形成することにより、輸送時や不使用持には板材を重ね合わせることが可能となり、梱包を小さくすることができ、携帯時におけるスペースを小さくすることが可能となる。
【図面の簡単な説明】
【００１２】
【図１】本考案に関わる薬剤服用具の実施例を示す斜視図である。
【図２】図１に示す薬剤服用具の正面図である。
【図３】図１に示す薬剤服用具の断面図である。
【図４】薬剤服用具を用いて服用者に薬剤を服用している状態を示す説明図である。
【図５】薬剤服用具の展開図である。
【図６】薬剤服用具の他の実施例による展開図である。
【図７】薬剤服用具の他の実施例の断面図である。
【考案を実施するための最良の形態】
【００１３】  本考案による薬剤服用具は、略スコップに形成された薬剤貯留部は、屈曲可能な弾性を有する肉薄の紙又はプラスチックからなる板材を屈曲することにより形成され、前記薬剤貯留部は前端側が略円弧状に形成されるとともに断面形状が略円弧状に形成され、後端側に前記薬剤貯留部から起立させた壁部が形成され、前記壁部は、前記板材の後端側に形成された切り込み部により３分割された舌片の中央の舌片に左右の舌片を重合させることにより前記薬剤貯留部から起立させている。【００１４】  以下、図面に基いて本考案の好適な実施例について説明する。図１は、本考案による薬剤服用具を示す斜視図である。薬剤服用具１には、前端側が略円弧状に形成されるとともに、図２に示すように、断面形状が略円弧状に形成された略スコップ状として薬剤貯留部２と、薬剤貯留部２の後端側に起立形成させた壁部３によって形成されている。この薬剤服用具１は、屈曲可能な弾性を有する肉薄の紙又はプラスチックからなる１枚の板材を素材が用いられている。【００１５】  壁部３は、後述するように、板材４の後端側に形成された切り込み部５、６により３分割された舌片４ａ、４ｂ、４ｃのうち、中央の舌片４ｂに左右の舌片４ａ、４ｃを重合させ、これら舌片４ａ、４ｂ、４ｃを接着することにより固定されている。このように、中央の舌片４ｂに左右の舌片４ａ、４ｃを重合させることにより、板材４の前端側が湾曲することによって略円弧状に形成された略スコップ状に形成される。【００１６】  そして、図３に示すように、例えば、ビニールパック７に分包された粉薬等の薬剤８を薬剤貯留部２の上の所定位置に貯留させる。その後、図４に示すように、服用者９の口に薬剤貯留部２の略円弧状に形成された前端側を差し込みながら傾けることによって投与される。このとき、薬剤貯留部２の前端側が略円弧状に形成されているので、薬剤８が中央に集められるので、服用者９への投与が容易になる。また、前端が略円弧状に形成されているので、服用者９の口に差し込み易くなり、中央に集められた薬剤８を舌の上に無理なく投与することができる。【００１７】  図５は、薬剤服用具１を展開した状態を示す展開図である。板材４は、屈曲可能な弾性を有する肉薄の紙又はプラスチック等を素材とし、図５に示すように、周知の打ち抜き加工によって打ち抜き形成される。この板材４には、薬剤貯留部２の後端側の位置に、切り込み部５、６が形成され、これにより、３分割された舌片４ａ、４ｂ、４ｃが形成されている。そして、図５に示す矢示のように、中央の舌片４ｂに左右の舌片４ａ、４ｃを重合させることにより板材４の前端側が湾曲し、薬剤貯留部２が略円弧状に形成され、恰も略スコップのように形成され、さらに、壁部３が形成される。そして、予め左右の舌片４ａ、４ｃに例えば粘着テープ１０を貼付し、重合させたときに接着固定する。なお、接着固定の手段としては、周知の接着剤を用いても良い。【００１８】  このように、板材４に切り込み部５、６を形成することにより３分割された舌片４ａ、４ｂ、４ｃのうち、中央の舌片４ｂに左右の舌片４ａ、４ｃを重合させるだけの簡便な作業によって、薬剤貯留部２を略円弧状に形成させるとともに、後端側に容易に壁部３を起立形成することができる。【００１９】  図６、図７は、本考案による薬剤服用具１の他の実施例を示している。この他の実施例は、実質的の前述した実施例と同じであるが、相違する点は、薬剤貯留部２の後端側に形成される壁部３の構成である。薬剤服用具１の素材となる板材４は、図６に示すように周知の打ち抜き加工によって切り込み部５、６が形成され、３分割されることにより舌片４ａ、４ｂ、４ｃが形成される。ここで、前述した実施例と異なり、中央の舌片４ｂが高くしている。この高さは、壁部３の高さのほぼ２倍としている。なお、左右の舌片４ａ、４ｃの両肩部を角状に形成することが好ましい。また、板材４としてやや剛性を有する素材の場合には、舌片４ａ、４ｂ、４ｃに、図６に示すような折れ線（図示では谷折り）を形成しておくことが望ましい。【００２０】  このように形成された板材４について、まず、図６において白丸及び黒丸で示す左右の舌片４ａ、４ｃの両肩部を互いに他方の舌片４ａ、４ｃの白丸及び黒丸で示す根元部分に合わせることによって、中央の舌片４ｂに左右の舌片４ａ、４ｃを図示の上方となるように重合させる。その後、中央の舌片４ｂの中間を折り曲げることにより、図７に示すように、重合させた左右の舌片４ａ、４ｃを中央の舌片４ｂにより包持する。そして、図７に示すように、中央の舌片４ｂの先端を壁部３の下端に押し込めて当接することにより保持する。これにより、左右の舌片４ａ、４ｃの上端が中央の舌片４ｂの折れ曲がり部分に当接し、左右への移動が阻止されることにより、薬剤服用具１としての形状が維持される。これにより、薬剤服用具１は接着剤等が無くても簡便に制作することができる。なお、中央の舌片４ｂは、壁部３の下端に押し込められているので、中央の舌片４ｂの先端を引き戻すことにより、薬剤服用具１を元の平坦な板状に戻すことが可能である。【００２１】  以上、本考案を実施例に基づき具体的に説明したが、本考案は上記実施例に限定されるものではなく、その要旨を逸脱しない範囲で種々変形可能であることは言うまでもない。
【符号の説明】
【００２２】１  薬剤服用具
２  薬剤貯留部
３  壁部
４  板材
４ａ、４ｂ、４ｃ  舌片
５、６  切り込み部
１０  粘着テープ（接着剤）
【図１】
0003196321.tif 000003
【図２】
0003196321.tif 000004
【図３】
0003196321.tif 000005
【図４】
0003196321.tif 000006
【図５】
0003196321.tif 000007
【図６】
0003196321.tif 000008
【図７】
0003196321.tif 000009